(57)【要約】【課題】天板に上から力がかかって天板に仕切板や管板が接触した場合でも、仕切板や管板の跡が天板に付くのを防止することが目的とされる。【解決手段】  室外機１は、空気調和機の室外機であって、筐体１１、仕切板１２、熱交換器２、及び他の複数の部品を備える。筐体１１は、側板１１１及び天板１１２を有し、天板１１２を側板１１１に上から被せて自身の内部空間１１３を形成する。内部空間１１３には、仕切板１２、熱交換器２、及び他の複数の部品が収納されている。仕切板１２は、複数の部品を仕切る板であって、上端部１２１が上下方向９０に対して垂直な方向へと折れ曲がっている。熱交換器２は、複数の管２１及び管板１３を有する。管板１３には、管２１が挿入される孔１３２が複数設けられている。管板１３の上端部１３１は、上下方向９０に対して垂直な方向へと折れ曲がっている。【選択図】図３
2009174760.tif 000002
【特許請求の範囲】
【請求項１】
空気調和機の室外機であって、
側板（１１１）及び天板（１１２）を有し、前記天板を前記側板に上から被せて自身の内部空間（１１３）を形成する筐体（１１）と、
前記内部空間内で下から前記天板近傍まで延び、上端部（１２１；１３１）が上下方向に対して垂直な方向へと折れ曲がっている板（１２；１３）と
を備える、室外機。
【請求項２】
前記内部空間（１１３）に収納される複数の部品
を更に備え、
前記板（１２）は、前記複数の部品を仕切る仕切板である、
請求項１記載の室外機。
【請求項３】
複数の管（２１）を更に備え、
前記板（１３）は、前記上端部（１３１）とは異なる部分に、前記管を挿入する孔（１３２）が設けられており、
前記複数の管と、前記複数の管を前記孔に挿入した前記板とで、前記内部空間（１１３）に収納された熱交換器（２）を構成する、
請求項１または請求項２記載の室外機。
【発明の詳細な説明】
【技術分野】
【０００１】
本発明は室外機に関し、特に空気調和機に用いられるものに関する。
【背景技術】
【０００２】
従来から、室外機では圧縮機や熱交換器、配管、電装品箱などの部品が、トランク型の筐体に収納されている。かかる筐体は、側板と天板とで構成されており、天板を側板に上から被せて収納空間を形成している。
【０００３】
収納空間には、仕切板や管板なども収納されている。仕切板は、収納された各部品を仕切る。管板には、熱交換器を構成する複数の管が固定される。仕切板及び管板はいずれも、収納空間内で上下に延びており、上端は天板近傍にまで達している。
【０００４】
なお、本発明に関連する特許文献を以下に示す。
【特許文献１】特開２００２−３５７３３５号公報
【発明の開示】
【発明が解決しようとする課題】
【０００５】
従来の室外機では、天板に上から力がかかると天板が撓んで、天板に仕切板や管板が接触していた。これは、仕切板及び看板の上端が天板近傍にまで達しているからである。
【０００６】
そして、仕切板や管板に天板が接触した状態で、更に天板に上から力がかかると、天板が変形して仕切板や管板の跡が付いてしまう。仕切板や管板の跡が付いてしまうと、天板にかかっていた力がなくなっても、その跡は付いたままとなる。
【０００７】
仕切板や管板と、天板との間に緩衝材を設けることで、天板に跡が付くのを防止することはできるが、コストや組み立て工数の増大を招くので、あまり望ましくない。
【０００８】
本発明は上述した事情に鑑みてなされたものであり、天板に上から力がかかって天板に仕切板や管板が接触した場合でも、仕切板や管板の跡が天板に付くのを防止することが目的とされる。
【課題を解決するための手段】
【０００９】
本発明にかかる室外機は、空気調和機の室外機であって、筐体と板とを備える。筐体は、側板及び天板を有し、天板を側板に上から被せて自身の内部空間を形成する。板は、内部空間内で下から天板近傍まで延び、上端部が上下方向に対して垂直な方向へと折れ曲がっている。
【００１０】
具体的には、内部空間に複数の部品が収納された室外機においては、複数の部品を仕切る仕切板の上端部が、垂直な方向へと折れ曲がっている。
【００１１】
内部空間に熱交換器を収納した室外機においては、熱交換器を構成する管板の上端部が、垂直な方向へと折れ曲がっている。
【発明の効果】
【００１２】
本発明にかかる室外機によれば、板の上端部が垂直な方向へと折れ曲がっているので、上から見たときの上端部の面積が広くなる。よって、天板に上から力がかかって天板に板が接触した場合でも、板が天板に与える力が分散され、以って板の跡が天板に付くのを防止することができる。
【発明を実施するための最良の形態】
【００１３】
図１は、本発明の実施の形態にかかる空気調和機用の室外機１の外観を示す。具体的に図１では、室外機１が備える筐体１１が示されている。筐体１１は、側板１１１と天板１１２とで構成されており、天板１１２を側板１１１に上から被せて自身の内部空間１１３を形成している。なお、天板１１２には、厚みが０．７ｍｍ程度のものが採用できる。
【００１４】
図２は、天板１１２を外した状態の室外機１を上から見た図である。図３は、図２に示される領域IIIを斜めから見た図である。
【００１５】
室外機１は、筐体１１の他に、熱交換器２、電装品箱３、圧縮機、配管及びファンなどの複数の部品、並びに仕切板１２を備える。複数の部品及び仕切板１２は、筐体１１の内部空間１１３に収納されている。なお図２及び図３では、圧縮機、配管及びファンについては示していない。
【００１６】
仕切板１２は、複数の部品を仕切る板であって、図２では電装品箱３と他の部品とを仕切っている。仕切板１２には、例えば厚みが１．０ｍｍ程度のものが採用できる。
【００１７】
仕切板１２は、図３に示されるように、天板１１２（図１）が被さる位置近傍まで下から延びている。換言すれば、天板１１２を側板１１１に被せた状態では、仕切板１２は、下から天板１１２近傍まで延びている。なお、図２及び図３では、上から見たときに複数の位置ｒ１〜ｒ３で折れ曲がった仕切板１２が示されている。
【００１８】
仕切板１２の上端部１２１は、上下方向９０に対して垂直な方向へと折れ曲がっている。具体的に図３では、仕切板１２の側面１２２，１２３のうち凹状に折れ曲がっている側面１２３の方へと、上端部１２１は垂直に折れ曲がっている。
【００１９】
熱交換器２は、複数の管２１、フィン２２、及び管板１３を有する。管板１３には、管２１が挿入される孔１３２が複数設けられている。管板１３には、例えば厚みが０．８ｍｍ程度のものが採用できる。フィン２２は、管２１に取り付けられており、管２１内を流れる冷媒と空気との熱交換の効率を高める。
【００２０】
管板１３は、図３に示されるように、天板１１２（図１）が被さる位置近傍まで下から延びている。換言すれば、天板１１２を側板１１１に被せた状態では、管板１３は、下から天板１１２近傍まで延びている。
【００２１】
管板１３の上端部１３１は、上下方向９０に対して垂直な方向へと折れ曲がっている。具体的に図３では、上端部１３１はフィン２２側へと折れ曲がっている。
【００２２】
なお、複数の管２１及び管板１３で構成された熱交換器２が、室外機１に備えられていることに鑑みれば、複数の管２１及び管板１３は室外機１に備えられていると把握することができる。
【００２３】
上述した室外機１によれば、仕切板１２及び管板１３の上端部１２１，１３１が垂直な方向へと折れ曲がっているので、上から見たときの上端部１２１，１３１の面積が広くなる。よって、天板１１２に上から力がかかって天板１１２に仕切板１２や管板１３が接触した場合でも、仕切板１２や管板１３が天板１１２に与える力が分散され、以って仕切板１２や管板１３の跡が天板１１２に付くのを防止することができる。
【図面の簡単な説明】
【００２４】
【図１】本発明の実施の形態にかかる室外機を概念的に示す図である。
【図２】天板を外した状態の室外機を上から見た図である。
【図３】図２に示される領域IIIを斜めから見た図である。
【符号の説明】
【００２５】
２  熱交換器
１１  筐体
１２  仕切板
１３  管板
２１  複数の管
１１１  側板
１１２  天板
１１３  内部空間
１２１，１３１  上端部
【図１】
2009174760.tif 000003
【図２】
2009174760.tif 000004
【図３】
2009174760.tif 000005